(57)【特許請求の範囲】
【請求項１】
機器側に設けられた機器側コネクタと、電線側に設けられた電線側コネクタとが嵌合可能とされたコネクタであって、
前記機器側コネクタは、嵌合方向前側に開口して設けられた機器側フード部を複数積層してなる機器側フード部群と、前記機器側フード部にそれぞれ収容され前記機器側フード部の奥壁から嵌合方向前側に突出して設けられた複数の雄端子とを有し、
前記電線側コネクタは、前記電線が引き出された電線引出面を有する奥壁と、前記電線引出面の周縁から嵌合方向前側に立ち上がる形態とされ、前記両コネクタの嵌合時に前記機器側フード部群を一括して覆う単一の電線側フード部と、前記複数の雄端子とそれぞれ嵌合する複数の雌端子と、前記雌端子を内部に収容するキャビティを備えて前記電線側フード部の奥壁から嵌合方向前側に突出する形態をなし、前記両コネクタの嵌合時に前記複数の機器側フード部の内部に個別に挿入される複数の端子保持筒部と、隣り合う各端子保持筒部を相互に連結する撓み防止壁とを有し、
前記機器側フード部群には、前記撓み防止壁を逃がすスリットが切り欠き形成され、
前記撓み防止壁は、前記端子保持筒部の先端側に配されており、前記端子保持筒部の基端側には、リテーナが装着されているコネクタ。
【請求項２】
前記電線側コネクタは、隣り合う各端子保持筒部を相互に連結する撓み防止壁を有し、
前記機器側フード部群には、前記撓み防止壁を逃がすスリットが切り欠き形成されている請求項１に記載のコネクタ。
【請求項３】
前記機器側コネクタは、前記機器側フード部群を一括して覆う機器側ケースを有し、前記電線側フード部は、前記両コネクタの嵌合時に前記機器側ケースを介して前記機器側フード部群を一括して覆う請求項１または請求項２に記載のコネクタ。
【発明の詳細な説明】
【技術分野】
【０００１】
本発明は、コネクタに関する。
【背景技術】
【０００２】
従来、複数の雄端子を内部に収容する複数の機器側フード部を備えた機器側コネクタとして、例えば下記特許文献１に記載のものが知られている。一方、この機器側コネクタと嵌合可能な電線側コネクタには、雄端子と嵌合する雌端子と、この雌端子を内部に収容するキャビティを備えて機器側フード部内に挿入される複数の端子収容筒部とが設けられている。したがって、電線側コネクタを機器側コネクタに嵌合させると、端子収容筒部が機器側フード部内に挿入されて雄端子が雌端子に嵌合することになる。
【先行技術文献】
【特許文献】
【０００３】
【特許文献１】特開２００６−３４４４１９号公報
【発明の概要】
【発明が解決しようとする課題】
【０００４】
しかしながら、上記のコネクタでは複数の電線側コネクタが別体に構成されているため、各端子収容筒部を各機器側フード部内に挿入する作業が面倒になり、機器側コネクタに対する電線側コネクタの嵌合作業性が悪いものとなっている。また、端子収容筒部が機器側フード部内に挿入された状態では、機器側フード部が外部に露出しているため、外部から衝撃を受けた際に機器側フード部が破損しやすくなる。
【０００５】
本発明は上記のような事情に基づいて完成されたものであって、機器側コネクタに対する電線側コネクタの嵌合作業性を向上させつつ、両コネクタの嵌合状態において機器側フード部を保護することを目的とする。
【課題を解決するための手段】
【０００６】
本発明は、機器側に設けられた機器側コネクタと、電線側に設けられた電線側コネクタとが嵌合可能とされたコネクタであって、機器側コネクタは、嵌合方向前側に開口して設けられた機器側フード部を複数積層してなる機器側フード部群と、機器側フード部にそれぞれ収容され機器側フード部の奥壁から嵌合方向前側に突出して設けられた複数の雄端子とを有し、電線側コネクタは、電線が引き出された電線引出面を有する奥壁と、電線引出面の周縁から嵌合方向前側に立ち上がる形態とされ、両コネクタの嵌合時に機器側フード部群を一括して覆う単一の電線側フード部と、複数の雄端子とそれぞれ嵌合する複数の雌端子と、雌端子を内部に収容するキャビティを備えて電線側フード部の奥壁から嵌合方向前側に突出する形態をなし、両コネクタの嵌合時に複数の機器側フード部の内部に個別に挿入される複数の端子保持筒部と、隣り合う各端子保持筒部を相互に連結する撓み防止壁とを有し、機器側フード部群には、撓み防止壁を逃がすスリットが切り欠き形成され、撓み防止壁は、端子保持筒部の先端側に配されており、端子保持筒部の基端側には、リテーナが装着されている構成としたところに特徴を有する。
【０００７】
このような構成によると、電線側コネクタを機器側コネクタに嵌合させた際に各端子保持筒部が一括して各機器側フード部内に挿入され、各雄端子が一括して各雌端子に嵌合する。また、両コネクタの嵌合状態では、機器側フード部群が電線側フード部によって一括して覆われているため、外部から衝撃を受けた際に機器側フード部群が破損することはない。したがって、機器側コネクタに対する電線側コネクタの嵌合作業性を向上させつつ、両コネクタの嵌合状態において機器側フード部を保護することができる。
【０００８】
本発明の実施の態様として、以下の構成が好ましい。
電線側コネクタは、隣り合う端子保持筒部を相互に連結する撓み防止壁を有し、機器側フード部群には、撓み防止壁を逃がすスリットが切り欠き形成されている構成としてもよい。
【０００９】
このような構成によると、端子保持筒部を成形した際に、樹脂の熱収縮等によって端子保持筒部が倒れようとした場合に、撓み防止壁によって端子保持筒部の倒れを防ぐことができる。また、両コネクタの嵌合時に撓み防止壁がスリットに進入することで、撓み防止壁が機器側フード部群に干渉することもない。
【００１０】
機器側コネクタは、機器側フード部群を一括して覆う機器側ケースを有し、電線側フード部は、両コネクタの嵌合時に機器側ケースを介して機器側フード部群を一括して覆う構成としてもよい。
【００１１】
このような構成によると、両コネクタの嵌合前においても機器側フード部群を保護することができる。
【発明の効果】
【００１２】
本発明によれば、機器側コネクタに対する電線側コネクタの嵌合作業性を向上させつつ、両コネクタの嵌合状態において機器側フード部を保護することができる。
【図面の簡単な説明】
【００１３】
【図１】電線側コネクタを機器側コネクタに嵌合させた状態を斜めから見た斜視図
【図２】電線側コネクタを機器側コネクタに嵌合させた状態を左側方から見た左側面図
【図３】電線側コネクタを斜めから見た斜視図
【図４】電線側コネクタを左側方から見た左側面図
【図５】電線側コネクタを正面から見た正面図
【図６】電線側コネクタを右側方から見た右側面図
【図７】機器側コネクタを斜めから見た斜視図
【図８】機器側コネクタを正面から見た正面図
【図９】機器側コネクタを右側方から見た右側面図
【図１０】機器側コネクタを下方から見た底面図
【図１１】図８におけるＡ−Ａ線で切断した一部切り欠き断面図
【図１２】図８におけるＢ−Ｂ線で切断した一部切り欠き断面図
【図１３】雄端子が雌端子に嵌合した状態を上方から見た断面図
【図１４】撓み防止壁が切り欠きに収容された状態を下方から見た断面図
【発明を実施するための形態】
【００１４】
＜実施形態＞
本発明の実施形態を図１ないし図１４の図面を参照しながら説明する。本実施形態におけるコネクタは、図１に示すように、互いに嵌合可能な電線側コネクタ１０と機器側コネクタ３０とを備えて構成されている。機器側コネクタ３０は、バッテリや基板などの扁平な機器を積層した機器側に設けられたコネクタである。一方、電線側コネクタ１０は、電圧検知線や電力線などの電線Ｗの端末に接続されたコネクタである。なお、以下においては両コネクタ１０，３０の嵌合方向を前後方向とし、互いの嵌合面側を前側として説明する。
【００１５】
電線側コネクタ１０は、図３に示すように、電線Ｗが後方に引き出された電線引出面１１を有しており、この電線引出面１１の周縁から前方に立ち上がる形態で電線側フード部１２が設けられている。この電線側フード部１２は、図５に示すように、前方および右側方に開口する形態をなし、その奥壁１３には、複数の端子収容筒部１４が上下方向に並んで配設されている。各端子収容筒部１４は、奥壁１３から前方に突出する形態をなしている。隣り合う端子収容筒部１４は、撓み防止壁１５によって互いに連結されている。この撓み防止壁１５は、図６に示すように、端子収容筒部１４の先端側に配されている。一方、端子収容筒部１４の基端側には、リテーナ１６が装着されている。
【００１６】
電線側フード部１２の右側面には、図４に示すように、平板状のロックアーム１７が設けられている。このロックアーム１７は、図３に示すように、電線側フード部１２の後端から立ち上がった後、片持ち状をなして前方に延びる形態とされている。ロックアーム１７の前端部には、ロック孔１８が板厚方向に貫通して形成されている。ロックアーム１７の前端は、弾性変位可能に形成されている。
【００１７】
端子収容筒部１４の内部には、図１３に示すように、雌端子４０を収容可能なキャビティ１９が形成されている。この雌端子４０は、電線Ｗの端末に接続される電線接続部４１と、雄端子５０が内部に嵌合する端子嵌合部４２とを備えて構成されている。端子嵌合部４２は、前後両端が開口する角筒状をなし、その内部には弾性接触片４３が形成されている。端子嵌合部４２の前端開口には、断面方形状をなす雄端子５０が進入可能とされており、弾性接触片４３が撓み変形して雄端子５０に弾性的に接触することにより、両端子４０，５０が導通可能に接続される。
【００１８】
端子収容筒部１４の前壁には、雄端子５０を挿通させる雄端子挿通孔２０が貫通して形成されている。一方、端子収容筒部１４の後部には、電線側フード部１２の奥壁１３を貫通させることで雌端子４０を挿通させる雌端子挿通孔２１が形成されている。また、端子収容筒部１４の周壁には、リテーナ１６が装着されるリテーナ装着口２２が形成されている。また、端子収容筒部１４の内壁には、ランス２３が形成されている。これにより、雌端子挿通孔２１から端子収容筒部１４のキャビティ１９に雌端子４０を挿入すると、ランス２３が端子嵌合部４２に設けられたランスホールに嵌まり込むことで雌端子４０が抜け止めされる。また、リテーナ装着口２２にリテーナ１６を装着すると、このリテーナ１６が端子嵌合部４２の後端角部に後方から係止することで、雌端子４０がランス２３とともに二重係止状態で抜け止めされる。
【００１９】
機器側コネクタ３０は、機器毎に設けられた複数の機器側フード部３２を有している。ここで、複数の機器側フード部３２を積層したものを機器側フード部３２群といい、複数の機器を積層したものを機器群という。機器群および機器側フード部３２群は、機器側ケース３１によって一括して覆われている。雄端子５０は、機器側フード部３２の奥壁３７から前方に突出して設けられている。機器側ケース３１のうち機器側フード部３２群を覆う部分は、機器側覆い部３３とされている。この機器側覆い部３３の右側面には、図７に示すように、ロック突部３４が設けられている。電線側コネクタ１０の電線側フード部１２内に機器側覆い部３３を嵌合させると、図２に示すように、ロックアーム１７のロック孔１８にロック突部３４が嵌まり込んで係止することで両コネクタ１０，３０が嵌合状態に保持される。
【００２０】
機器側フード部３２群のうち隣り合う機器側フード部３２を仕切る隔壁３５には、スリット３６が形成されている。このスリット３６は、隔壁３５の左端部に配されており、隔壁３５の左端部を前後方向に切り欠くことで形成されている。本実施形態では図示４個の機器側フード部３２が上下方向に並んで配設されており、これらを仕切る図示３個の隔壁３５が配設されている。したがって、各隔壁３５に対応して図示３個のスリット３６が配設されている。両コネクタ１０，３０を嵌合させると、図１３に示すように、端子収容筒部１４が機器側フード部３２内に挿入され、図１４に示すように、撓み防止壁１５を隔壁３５に干渉させることなくスリット３６に逃がすことができる。さらに、機器側フード部３２群が機器側覆い部３３を介して電線側フード部１２に一括して覆われる。したがって、機器側フード部３２群は、電線側フード部１２によって保護される。また、複数の端子収容筒部１４を対応する機器側フード部３２内に一括して挿入することができるため、両コネクタ１０，３０の嵌合作業性を向上させることができる。
【００２１】
本実施形態は以上のような構成であって、続いてその作用および効果を説明する。まず、従来構造、すなわち撓み防止壁１５が設けられていない場合には、電線側フード部１２を成形する際に、端子収容筒部を成形する空間に樹脂が流れにくくなって樹脂切れを起こす可能性がある。その点、本実施形態では隣り合う端子収容筒部１４の間に撓み防止壁１５を設けているため、この撓み防止壁１５を成形する空間に樹脂が流れやすくなって樹脂切れを防ぐことができる。さらに、端子収容筒部１４同士が撓み防止壁１５によって互いに連結されているため、成形時の熱収縮等によって端子収容筒部１４の倒れが発生することを抑制できる。
【００２２】
また、本実施形態では、複数の端子収容筒部１４が電線側フード部１２によって一体に構成されているため、これらの端子収容筒部１４を機器側フード部３２群に一括して挿入することができる。したがって、両コネクタ１０，３０の嵌合作業性を向上させることができる。また、両コネクタ１０，３０の嵌合状態では機器側フード部３２群が電線側フード部１２によって一括して覆われているため、機器側フード部３２群を保護することができる。さらに、両コネクタ１０，３０の嵌合前においても機器側フード部３２群が機器側ケース３１の機器側覆い部３３によって覆われているため、機器側フード部３２群を保護することができる。
【００２３】
＜他の実施形態＞
本発明は上記記述及び図面によって説明した実施形態に限定されるものではなく、例えば次のような実施形態も本発明の技術的範囲に含まれる。
（１）上記実施形態では撓み防止壁１５を設けているものの、本発明によると、隣り合う端子収容筒部の間に撓み防止壁を設けないものも含まれる。
【００２４】
（２）上記実施形態では機器側フード部３２群が機器側ケース３１の機器側覆い部３３によって覆われているものの、本発明によると、機器側覆い部３３を設けないで機器側フード部３２群を電線側フード部１２によって直接覆うものとしてもよい。
【符号の説明】
【００２５】
１０…電線側コネクタ
１２…電線側フード部
１３…奥壁
１４…端子収容筒部（端子保持筒部）
１５…撓み防止壁
１９…キャビティ
３０…機器側コネクタ
３１…機器側ケース
３２…機器側フード部
３６…スリット
３７…奥壁
４０…雌端子
５０…雄端子
Ｗ…電線
【図１】
0005928804.tif 000002
【図２】
0005928804.tif 000003
【図３】
0005928804.tif 000004
【図４】
0005928804.tif 000005
【図５】
0005928804.tif 000006
【図６】
0005928804.tif 000007
【図７】
0005928804.tif 000008
【図８】
0005928804.tif 000009
【図９】
0005928804.tif 000010
【図１０】
0005928804.tif 000011
【図１１】
0005928804.tif 000012
【図１２】
0005928804.tif 000013
【図１３】
0005928804.tif 000014
【図１４】
0005928804.tif 000015